(57)【要約】【目的】災害時などに住宅のシステムバス内を避難場所として住人が食料などの生活物資を確保し、断水時でも飲み水などの生活用水を確保して、比較的長期間生活することができる、シェルター型システムバスを提供する。【構成】外側天井部が床部から少なくとも２．０ｍ以上の高さを有するように構成された剛性フレームと、前記剛性フレームの外側天井部から少なくとも１０ｃｍ以上の距離だけ下方に配置された浴室用の内側天井部と、前記外側天井部と前記内側天井部との間の隙間に配置され又は当該隙間により形成された災害や事故などの危険への対処に役立つ有体物を収容可能な収容部とを備え、更に前記外側天井部と前記内側天井部との間の隙間内に少なくとも５ｍ以上の長さを有する貯水用給水管を備えたシステムバスである。【選択図】    図１
2019039233.tif 000002
【特許請求の範囲】
【請求項１】
浴室又はその外側を保護又は支持するための剛性フレームであって、当該剛性フレームの上方部分を構成する外側天井部が当該剛性フレームの床部から少なくとも２．０ｍ以上の高さを有するように構成された剛性フレームと、
前記剛性フレーム内において前記外側天井部から少なくとも１０ｃｍ以上の距離だけ下方に形成又は配置された、浴室用の内側天井部と、
前記外側天井部と前記内側天井部との間の隙間の少なくとも一部を利用して構成され又は前記少なくとも一部により構成される収容部又は収容空間であって、災害や事故などの危険への対処に役立つ有体物を収容可能な収容部又は収容空間と、
を備えたシェルター型システムバス。
【請求項２】
前記外側天井部と前記内側天井部との間の隙間の少なくとも一部を利用して構成され又は前記少なくとも一部により構成される貯水用空間であって、外部から供給される上水を浴室内に向けて流通させる少なくとも約５ｍ以上の長さを有する貯水用給水管が配置された貯水用空間を備えた、請求項１に記載のシェルター型システムバス。
【請求項３】
前記貯水用給水管には、前記貯水用給水管中の上水が外部の配水管側に逆流することを防止する逆止弁が備えられている、請求項２に記載のシェルター型システムバス。
【請求項４】
前記貯水用給水管は、前記貯水用空間内の前記剛性フレーム側部の近傍に、前記剛性フレーム側部に沿って巻回するように、配置されている、請求項２又は３に記載のシェルター型システムバス。
【請求項５】
前記貯水用給水管は、前記貯水用空間内において、略渦巻状、略ジグザグ状又は略Ｓ字状に、配置されている、請求項２又は３に記載のシェルター型システムバス。
【発明の詳細な説明】
【技術分野】
【０００１】
本発明は、地震、火災又は事故などの危険発生時に住人が避難し更に滞在することができるシェルター型システムバスに関する。
【背景技術】
【０００２】
一般に住宅（マンション等の高層住宅を含む）内に設置されるシステムバス（ユニットバス）は、樹脂（繊維強化プラスチック等）製であるため、比較的剛性（強度）は弱く、地震等の発生時には住宅と一緒に倒壊することが少なくない。そのため、従来より、そのようなシステムバス（ユニットバス）の改良として、災害時にシェルターとしても利用できるものが提案されている。例えば、特許文献１は、図６に示すような、耐震フローティングマウント床（１７）、ユニットバス分離アンカー部（１８）、ユニットバス開閉耐水防火扉（９）、及び上部脱出用耐水防火ハッチ（３）などを備えた災害・耐震シェルター型のルーム装置を提案、開示している。また、特許文献２は、図７に示すような、柱（９０）、梁（９２）及びスラブ（９４）で構成される住居スペースとしての建物層間に配置されるユニットバスであって、換気口（４６）を備え、建物の予想倒壊荷重（天井や壁の落下荷重）に耐え得る強度を備えた天井パネル（１４）、壁パネル（１６）及び床パネル（１８）を備えた、バスルームが耐震シェルターとなるユニットバス１０を提案、開示している。
【先行技術文献】
【特許文献】
【０００３】
【特許文献１】特開２０１３−１５１８１０号公報
【特許文献２】特開２００３−１０５９９２号公報
【発明の概要】
【発明が解決しようとする課題】
【０００４】
しかしながら、前述した特許文献１，２に示すような従来の耐震シェルター型のユニットバス（システムバス）においては、ユニットバスの剛性を高めて住宅の倒壊に耐え得る耐震性等を持たせただけであったため、当該ユニットバスの中で一人又は複数の住人（家人）が相当程度の長期間生活することはできないという問題があった。特に、従来のシェルター型のユニットバス（システムバス）においては、災害等による断水時にユニットバス内に逃げ込んだ住人が数日間生存するために必要不可欠な飲み水を確保する手段が存在しないため、一両日中に救助が期待できる状況下での一時的な避難のために使用できるだけで、住民が災害等による断水時でも飲み水を確保してユニットバス内で数日間以上の比較的長期間生存することはできないという問題があった。
【０００５】
本発明は、このような従来のシステムバス（ユニットバス）に関する問題点に着目して為されたものであって、住宅の倒壊等に耐え得る耐震性等を備えると共に、従来のシステムバス内に収容庫などを新たに設けて従来のシステムバスの浴室としての空間を狭くしてしまうという不都合を生じることなく、災害時や事故時に、住宅のシステムバス内で、そこを避難場所及び避難後の滞在場所として、住人が食料や衣服などの生活物資・防災グッズを確保して比較的長期間生活することができるシェルター型システムバスを提供することを目的とする。また、本発明は、住宅の倒壊等に耐え得る耐震性等を備えると共に、従来のシステムバス内に貯水槽などを新たに設けて従来のシステムバスの浴室としての空間を狭くしてしまうという不都合を生じることなく、災害等による断水時でも住宅のユニットバス内で住人が飲み水などの生活用水を確保して数日間以上の比較的長期間生存することができるシェルター型システムバスを提供することを目的とする。
【課題を解決するための手段】
【０００６】
以上のような課題を解決するための本発明によるシェルター型システムバスは、浴室又はその外側を保護又は支持するための剛性フレームであって、当該剛性フレームの上方部分を構成する外側天井部が当該剛性フレームの床部から少なくとも２．０ｍ以上の高さを有するように構成された剛性フレームと、前記剛性フレーム内において前記外側天井部から少なくとも１０ｃｍ以上の距離だけ下方に形成又は配置された、浴室用の内側天井部と、前記外側天井部と前記内側天井部との間の隙間の少なくとも一部を利用して構成され又は当該少なくとも一部により構成される収容部又は収容空間であって、災害や事故などの危険への対処に役立つ有体物を収容可能な収容部又は収容空間とを備えたものである。
【０００７】
また、本発明によるシェルター型システムバスにおいては、前記外側天井部と前記内側天井部との間の隙間の少なくとも一部を利用して構成され又は当該少なくとも一部により構成される貯水用空間であって、外部から供給される上水を浴室内に向けて流通させる少なくとも約５ｍ以上の長さを有する貯水用給水管が配置された貯水用空間を備えていてもよい。
【０００８】
また、本発明によるシェルター型システムバスにおいては、前記貯水用給水管に、前記貯水用給水管中の上水が外部の配水管側に逆流することを防止する逆止弁が備えられてもよい。
【０００９】
また、本発明によるシェルター型システムバスにおいては、前記貯水用給水管は、前記外側天井部と前記内側天井部との間の隙間内の前記剛性フレーム側部の近傍に、前記剛性フレーム側部に沿って巻回するように（略リング状に）、配置されていてもよい。
【００１０】
さらに、本発明によるシェルター型システムバスにおいては、前記貯水用給水管は、前記外側天井部と前記内側天井部との間の隙間内において、略渦巻状、略ジグザグ状又は略Ｓ字状となるように、配置されていてもよい。
【発明の効果】
【００１１】
本発明は、（ａ）従来の住宅（前述のようにマンション等の高層住宅を含む）においては、１階床から２階床までの間の高さ（階高）が約３．０ｍ、１階床から１階天井までの間の高さ（天井高）が約２．４ｍであるため、１階天井と２階床との間に、約０．６ｍ（＝３．０ｍ−２．４ｍ）高さの天井裏スペース（活用されていないスペース）が存在していること、（ｂ）従来の住宅内に配置されるシステムバス（ユニットバス）の天井高は居室の天井高（前述のように床から約２．４ｍ）よりも低い約２．２ｍであること、（ｃ）上記（ａ）及び（ｂ）より、従来のシステムバスにおいては、その天井裏（小屋裏）の高さ約０．８ｍ（＝３．０ｍ−２．２ｍ）の空間（システムバスの上方の天井裏空間）が、活用されないデッドスペースとなっていることに着目して為されたものである。
【００１２】
すなわち、従来のシステムバス内に食料、衣服、寝具、懐中電灯又はラジオなどの非常用物資を収容する収容庫を備えるならば、従来のシステムバス内部（浴室）のスペースがその収容庫の体積だけ狭くなってしまい浴室としての利便性・快適性が失われてしまうという問題があった。そこで、本発明者は、上記（ｃ）で述べた従来のシステムバスにおいてはその天井裏（小屋裏）の高さ約０．８ｍ（＝３．０ｍ−２．２ｍ）の空間（システムバスの上方の天井裏空間）が活用されないデッドスペースとなっていることに着目し、前記デッドスペースとなっている高さ約０．８ｍのシステムバス天井裏空間を有効に活用することにより、従来のシステムバス内部（浴室）のスペースを狭くすることなく（従来のシステムバス内部の浴室としての空間の広さを犠牲にすることなく）、災害時や事故時において住宅のシステムバス内で住人が食料や衣服などの災害非常時用の生活物資・防災グッズを確保して比較的長期間生活することができるシェルター型システムバスを実現できることを着想して本発明を発明した。
【００１３】
上記「従来のシステムバスにおいては高さ約０．８ｍの天井裏（小屋裏）空間がデッドスペースとなっている」ことなどに着目して為された本発明によれば、住宅内に、浴室を保護又は支持等するための剛性フレームであって、建物躯体の天井近傍位置に外側天井部が配置される剛性フレーム（その上側の外側天井部がその下側の床部から少なくとも２．０ｍ以上の高さを有している剛性フレーム）を設置し、当該剛性フレーム内に、当該剛性フレームの一部である外側天井部から少なくとも１０ｃｍ以上下方の位置に浴室用の内側天井部を形成又は配置し、前記外側天井部と前記内側天井部との間の隙間（天井間空間）を利用して収容部（又は収容空間）を構成し、この収容部中に災害・事故等の危険への対処に役立つ有体物（例えば食料、衣服、寝具、懐中電灯又はラジオなどの災害非常時用生活物資・防災グッズ）を収容できるようにした。よって、本発明によれば、住人は、災害や事故が発生したとき、住宅のシステムバス内で、そこを避難場所及び避難後の滞在場所として、食料や衣服などの災害非常時用の生活物資・防災グッズを確保しつつ、比較的長い期間、生活できるようになる。
【００１４】
また、上記「従来のシステムバスにおいては高さ約０．８ｍの天井裏（小屋裏）空間がデッドスペースとなっている」ことなどに着目して為された本発明において、前記剛性フレーム内の外側天井部と内側天井部との間の隙間の少なくとも一部（貯水用空間）に、少なくとも５ｍ以上の長さを有する貯水用給水管（外部から供給される上水を浴室内の水栓等に向けて流通、通過させる貯水用給水管）を備えるようにしたときは、災害や事故が発生したとき、前記貯水用給水管内に入っている上水を、浴室内の各水栓から取り出して、飲み水等の生活用水として利用することができる（前記貯水用給水管に貯水タンクの役割を果たさせることができる）。よって、本発明によれば、住人は、災害等による断水時でも、住宅のユニットバス内で飲み水などの生活用水を確保しつつ、数日間以上の比較的長い期間、生存できるようになる。
【００１５】
また、本発明において、前記貯水用給水管に対し前記貯水用給水管中の上水が外部の配水管側に逆流することを防止する逆止弁を備えるようにしたときは、災害時や事故時において外部の配水管が破裂等したときでも、前記貯水用給水管中の上水が外部の配水管側に逆流することが防止されるので、より確実に、前記貯水用給水管内に入っている上水を、住人の飲み水等の生活用水として確保することができる（前記貯水用給水管に貯水タンクとしての役割を確実に果たさせることができる）。
【００１６】
また、本発明において、前記貯水用給水管を、前記外側天井部と前記内側天井部との間の隙間の少なくとも一部（貯水用空間）の前記剛性フレーム側部の近傍において、前記剛性フレーム側部に沿うように巻回するように配置したときは、前記剛性フレーム内の外側天井部と内側天井部との間の隙間内に、より省スペースに、前記貯水用給水管を配置できるようになる。すなわち、前記剛性フレーム内の外側天井部と内側天井部との間の隙間内は、災害非常時用の生活物資・防災グッズなどを収容する収容部のスペースをなるべく大きく確保するため、前記貯水用給水管の配置スペースはなるべく小さくする必要があるところ、前記貯水用給水管を前述のように前記剛性フレーム側部の近傍において前記剛性フレーム側部に沿って巻回するように（略リング状に）配置することにより、前記貯水用給水管の配置スペースをより小さくすることができる。
【００１７】
さらに、本発明において、前記貯水用給水管を、前記外側天井部と前記内側天井部との間の隙間の少なくとも一部（貯水用空間）に、略渦巻状、略ジグザグ状又は略Ｓ字状となるように配置したときは、前記剛性フレーム内の外側天井部と内側天井部との間の隙間内に、より省スペースに、前記貯水用給水管を配置できるようになる。すなわち、前記剛性フレーム内の外側天井部と内側天井部との間の隙間内は、災害非常時用の生活物資・防災グッズなどを収容するための収容部のスペースをなるべく大きく確保するため、前記貯水用給水管の配置スペースはなるべく小さくする必要があるところ、前記貯水用給水管を前述のように略渦巻状、略ジグザグ状又は略Ｓ字状にとなるように配置することにより、前記貯水用給水管の配置スペースをより小さくすることができる。
【００１８】
なお、本発明は、従来のシステムバスに対して、技術的に簡単で且つ経済的に安価な改良を加えるだけで容易に実現可能である。また、本発明は、昨今多く行われている浴室の改修工事・リフォーム工事の中で容易に実現可能である。
【図面の簡単な説明】
【００１９】
【図１】本発明の実施形態１に係るシェルター型システムバスの構成を示す側断面図である。
【図２】本実施形態１に係るシェルター型システムバスの上方部分（外側天井部と内側天井部との間の隙間部分）の構成を示す平断面図である。
【図３】本実施形態１に係るシェルター型システムバスの浴室部分等の構成を示す平断面図である。
【図４】本発明の実施形態２に係るシェルター型システムバスの一部を示す概略図で、（ａ）は側断面図、（ｂ）は平断面図である。
【図５】本発明の実施形態３に係るシェルター型システムバスの一部を示す概略図で、（ａ）は側断面図、（ｂ）は平断面図である。
【図６】従来のシェルター型ユニットバスの一例を示す斜視図である。
【図７】従来のシェルター型ユニットバスの他の例を示す側断面図である。
【発明を実施するための形態】
【００２０】
〔実施形態１〕
以下、本発明の実施形態１を図面を用いて説明する。図１は本実施形態１に係るシェルター型システムバスの構成を示す側断面図、図２は本実施形態１に係るシェルター型システムバスの上方部分（後述の外側天井部と内側天井部との間の隙間部分）の構成を示す平断面図、図３は本実施形態１に係るシェルター型システムバスの浴室部分等の構成を示す平断面図である。
【００２１】
図１〜３において、１は浴室の外周部（浴室外側の保護又は支持部）として構成された剛性フレーム（枠体）である。前記剛性フレーム１は、剛性（高い強度）を有する鋼製柱１ｄ、鋼製梁１ｅ及び鋼製筋交１ｆにより、全体として耐震性を有する略箱状に形成されている。また、前記剛性フレーム１の側部１ｂ及び天井部分（外側天井部１ｃ）中には、対衝性及び耐久性を有する防護金網（又は鋼板）が前記の鋼製柱１ｄ、鋼製梁１ｅ及び鋼製筋交１ｆに固定されて配置されている。これにより、前記剛性フレーム１は、平板状の床部（底部）１ａ、角筒状の側部１ｂ、及び平板状の外側天井部１ｃにより全体が略箱状に形成されている。このような剛性フレーム１は、建築物の倒壊時に内部に構造材や家具等が侵入するのを防ぐと同時に、建築物が全壊、若しくは半壊した場合においても、システムバス自体は倒壊せずに残り、シェルター的役割を果たすことができる。
【００２２】
また、前記剛性フレーム１の高さは、例えば高さが２．８ｍ、図示横方向の長さが１．６８ｍである。このように、本実施形態１では、前記剛性フレーム１の高さが２．８ｍとなっており、従来のシステムバスの外形の高さ（約２．２ｍ）と比較して、約６０ｃｍ高くなっている。しかし、通常の住宅においては、１階床から２階床までの間の高さ（階高）は約３．０ｍであるから、前述のように２．８ｍ高さの剛性フレーム１でも十分な余裕を持って配置することができる。
【００２３】
また、図１〜３において、２は前記側部１ｂの内側に配置された化粧板から成る浴室用内側壁部（浴室を構成する内側壁部）、３は前記剛性フレーム１内において前記外側天井部１ｃよりも約６０ｃｍ下方に設置された平板状の内側天井部（浴室側には化粧板が配置されている）である。前記剛性フレーム１の床部１ａに対する前記内側天井部３の高さは、従来のシステムバスの天井高とほぼ同じ２．２ｍとなっている。よって、本実施形態１においては、前記剛性フレーム１内の前記床部１ａ、前記側部１ｂ側の内側壁部（化粧板）２、及び前記内側天井部３により囲まれた浴室空間は、従来のシステムバスにおける浴室の広さと同等となっている。よって、本実施形態１では、前記浴室内に、鏡４、シャワー等の水栓５、浴槽６、浴槽６などに湯を供給するための水栓７など、従来のシステムバスにおけると同様の設備を配置することができる。
【００２４】
また、図１〜３において、８は、前記剛性フレーム１の外側天井部１ｃと前記側部１ｂの上方部分と前記内側天井部３とにより囲まれた略箱状の空間（以下「天井間空間」という）により形成、構成される収容部（収容ボックス）、１０は前記天井間空間の中に配置された換気扇、１１は前記換気扇１０と戸外との間で空気を流通させるためのダクト、１２は前記天井間空間中の側部１ｂ側（貯水用空間）において前記側部１ｂの内周壁面に沿って例えば数十周巻回するように（略リング状に）配置された給水管（上水道管）である。
【００２５】
前述のように、本実施形態１では、前記剛性フレーム１の外側天井部１ｃと前記側部１ｂの上方部分と前記内側天井部３とにより、前記収容部８が形成、構成されている。前記内側天井部３の略中央には開口部１４とこの開口部１４を開閉するハッチ（密閉型扉）１５が備えられている。よって、住人は、前記ハッチ１５を開閉して、前記開口部１４から、前記収容部８内に災害非常用生活物資・防災グッズを配置、収容しておくことができる。すなわち、住民は、前記収容部８内に、例えば、消火器、懐中電灯、カセットコンロ、浴槽のフタの大きさに合わせた寝具（寝袋等）、枕、非常食保管ＢＯＸ、浄水器、ランタン、飯ごう、固形燃料、小型発電機、燃料タンク、工具類、救急箱、拡声器、発信機等を収容しておくことができる。
【００２６】
また前述のように、本実施形態１では、図１に示すように、前記天井間空間の中において、前記収容部８（収容空間）と仕切り板１３により仕切られ区別された空間（貯水用空間）が、前記側部１ｂ側に形成されている。そして、前記仕切られた空間（貯水用空間）内には、前記給水管１２が、前記側部１ｂの内周壁面に沿って複数回巻回された状態で、配置されている。前記給水管１２は、外部の配水管からの上水を、浴室内の水栓５，７などに供給するためのものである。なお、図３中の符号１２ｂは、前記天井間空間の中に配置された貯水用の給水管１２中を流通、通過する上水を浴室内の各水栓５，７などに供給するために略垂直方向に配置された給水管１２ａ（後述する図４，５の１２ａ参照）が配置される上水道管通しスペース（剛性フレーム１の側部１ｂと浴室用の内側壁部（化粧板）２との間のスペース）である。
【００２７】
本実施形態１において、前記剛性フレーム１の側部１ｂの内周壁面の一周の長さは約６．４ｍ（＝側部１ｂの１面の水平方向の長さ約１．６ｍ×４面）であるから、前記天井間空間の中で前記給水管１２が前記側部１ｂの内周壁面に沿って約１周（１回）だけ巻回される場合は約５〜６ｍ、１０周（１０回）以上巻回された場合は約６０ｍ以上、２０周（２０回）以上巻回された場合は約１２０ｍ以上、３０周（３０回）以上巻回された場合は約１８０ｍ以上となる。よって、前記天井間空間の中で前記給水管１２が前記側部１ｂの内周壁面に沿って何周（何回）巻回されるかによるが、数十周（数十回）以上巻回する場合も可能であることを考えれば、数ｍから数百ｍの長さの前記給水管１２を、貯水タンクの役割を果たさせるために前記天井間空間の中に配置することができる。このように、本実施形態では、前記給水管１２により、相当量の上水を貯水しておくことができる。
【００２８】
そして、前記給水管１２中を流れる上水は、外部の配水管からの上水が供給されて住人が風呂で身体を洗うなどの用途で日常的に流され使用されるから、前記給水管１２内には常に新鮮な上水が貯められている。このように、本実施形態では、前記給水管１２が「常に新鮮な上水を貯めておく貯水タンク」の役割を果たしている。
【００２９】
また、本実施形態では、前記給水管１２の外部側（戸外の配水管側）に逆止弁（図示省略）が設置されており、この逆止弁により、前記給水管１２内の水が外部の配水管方向に逆流することが防止されている。よって、本実施形態１では、もし仮に地震等の災害により外部の配水管が破壊された場合でも、前記給水管１２中に貯められた水が外部の配水管方向に逆流することが、防止される。
【００３０】
以上のように、本実施形態１では、前記給水管１２を、一旦システムバスの内側天井部３の上部（剛性フレーム１の外側天井部１ｃの下部）まで立ち上げて配置し、前記剛性フレーム１の側部１ｂ側においてその内周壁面に沿って巻回させる。そして、前記巻回された給水管１２に連続する給水管１２ａを、前記剛性フレーム１の側部１ｂと浴室用内壁側面（化粧板）２との隙間中において下方の浴室内の方向に下降させ、上水を浴室内の水栓５，７などに供給させるようにしている。よって、本実施形態１では、常に、前記給水管１２の中に新鮮な上水が残るので、住人は、災害等による断水時でも浴室内の水栓５，７から飲料用の上水を得ることができる。
【００３１】
なお、本実施形態１においては、次のような工夫を加えることも可能である。
（１）前記水栓５，７に取り付け可能な浄水フィルターを備えることにより、断水が長期間継続した場合でも、前記給水管１２中の水を飲料用として使えるようにすることができる（なお前記浄水フィルターは前記収容部８内に配置しておいてもよい）。また、前記浄水フィルターに代えて、電池式の浄水器を前記収容部８内に配置するようにしても、同様の効果が得られる。また、前記天井間空間中に配置する給水管１２として、事前に工場で製造された保温材等でパックされた給水管１２を使用するときは、現場での施工を大幅に省力化・効率化することができる。
（２）浴室の洗い場の排水トラップを脱着容易な構造のものにしておく。このようにしたときは、災害時に本実施形態１のシステムバスに逃げ込んだ住人は、排泄の際には排水トラップを取り外して排泄し、風呂の残り湯で排泄物を流し、その後、排水トラップを取り付けることができる。
（３）システムバスの床下を支える脚部は、従来のシステムバスの床下の脚部よりも個数を多くし、それらをベタ基礎に対しアンカーボルトで止めるようにする。またベタ基礎は従来よりも厚く打つことが望ましい。
（４）システムバスの浴室内部は、従来品と同様の設備を採用しているが、ダクト式換気扇についてはダクト式換気扇の下面からダクトを取り付けて、システムバスの側部１ｂの上部から排気するようにしてもよい。
（５）外部に接する面に窓を設けることができるが、その場合は開口補強を行い、ガラスは飛散防止のフィルム入りを使用する。また、外部に接する面の窓については、外側に緊急時用の防火扉（片引き袋戸）を設けることが望ましい。
（６）システムバスの入口の折れ戸（もしくはその他の入口用建具）は従来品同様、ガラスの代わりに樹脂パネルを用いるが、飛散防止フィルムを貼り付けて、割れ・飛散を防止する。また、入口は２重扉にして外側に緊急時用の防火扉（片引き袋戸）を設けることが望ましい。
（７）浴室の内側壁面（化粧板）２の一部に鍵付き（暗証番号式又はダイアル式でもよい）の扉を備えた貴重品などの収容庫又は金庫を備えるようにしてもよい。
（８）前記剛性フレーム１を構成する構造体である筋交等と防護金網との間に断熱材又は防火パネルを配置すると共に、防護金網と浴室用内壁側面（化粧板）２との間に防火性の高い断熱材を配置し、これにより、火災の場合にもシステムバス内を安全に保つようにする。
【００３２】
以上のように、本実施形態１においては、住宅内に、建物躯体の天井近傍位置を外側天井部１ｃとする剛性フレーム１を設置し、当該剛性フレーム１内に、当該剛性フレーム１の一部である外側天井部１ｃから約６０ｃｍの距離（本発明では少なくとも１０ｃｍ以上の距離でよい）下方に形成、配置された浴室用の内側天井部３を形成し、前記外側天井部１ｃと前記内側天井部３との間の隙間（天井間空間）を利用して収容部８を構成し、この収容部中に災害・事故等の危険への対処に役立つ食料等の有体物を収容できるようにした。よって、本実施形態１によれば、住人は、災害や事故が発生したとき、住宅のシステムバス内で食料や衣服などの災害非常時用の生活物資・防災グッズを確保しつつ、比較的長期間、生活できるようになる。
【００３３】
また、本実施形態１では、さらに、前記外側天井部１ｃと前記内側天井部３との間の隙間（天井間空間）内の少なくとも一部（貯水用空間）に、数ｍ〜数百ｍの長さ（本発明では少なくとも５ｍ以上の長さでよい）を有する貯水用給水管１２を備えるようにしたので、災害や事故による断水時においても、前記貯水用給水管１２内に入っている上水を浴室内の各水栓５，７などから取り出して飲み水等の生活用水として利用することができる（前記貯水用給水管１２を貯水タンクとして利用することができる）。よって、本実施形態１によれば、住人は、災害等による断水時においても、住宅のユニットバス内で飲み水などの生活用水を確保しつつ、数日間以上の比較的長期間、生存することができるようになる。
【００３４】
また特に、本実施形態１では、前記貯水用の給水管１２に対し前記給水管１２中の上水が外部の配水管側に逆流することを防止する逆止弁（図示省略）を備えるようにしたので、災害時や事故時において外部の配水管が破裂等したときでも、前記給水管１２中の上水が外部の配水管側に逆流することを防止することができる。よって、本実施形態１によれば、より確実に、前記給水管１２の中に入っている上水を飲み水等の生活用水として確保することができるようになる。
【００３５】
また特に、本実施形態１では、前記貯水用の給水管１２を、前記剛性フレーム１内の前記外側天井部１ｃと前記内側天井部３との間の隙間（天井間空間）中の前記剛性フレーム側部１ｂの近傍において、前記剛性フレーム側部１ｂの内周壁面に沿って巻回した状態（略リング状）となるように配置するようにしている。よって、本実施形態１によれば、前記剛性フレーム１内の前記外側天井部１ｃと前記内側天井部３との間の隙間（天井間空間）内に、より省スペースに、前記貯水用給水管１２を配置できるようになる。すなわち、前記剛性フレーム１内の外側天井部１ｃと内側天井部３との間の隙間（天井間空間）内は、災害非常時用の生活物資・防災グッズなどを収容する収容部８のスペースをなるべく大きく確保するため、前記貯水用給水管１２の配置スペースをなるべく小さくする必要があるところ、前記貯水用給水管１２を前述のように前記剛性フレーム側部１ｂの近傍において前記剛性フレーム側部１ｂの内周壁面に沿って巻回した状態（略リング状）となるように配置することにより、前記貯水用給水管１２の配置スペースをより小さくすることができる。
【００３６】
〔実施形態２〕
次に図４を参照して本発明の実施形態２に係るシェルター型システムバスの構成を説明する。本実施形態２は、前記実施形態１と基本的構成は同一であるので、以下では異なる部分についてのみ説明する。また、図４において図１〜３と共通する部分には同一の符号を付して説明を省略する。
【００３７】
本実施形態２では、図４（ａ）の側断面図及び図４（ｂ）の平断面図に示すように、前記外側天井部１ｃと前記内側天井部３との間の天井間空間中の少なくとも一部（貯水用空間）に配置される給水管１２が、略渦巻状に巻回された状態で、前記内側天井部３の上に配置されている。住人は、図４（ｂ）に示すように、前記内側天井部３の中央のハッチ１５を開けてその周辺に非常用生活物資などを配置、収容することができる。また、住人は、場合により、前記略渦巻き状に配置された給水管１２の上にも非常用生活物資などを配置することができる。なお、図４（ａ）及び（ｂ）において、符号１２ａは、前記天井間空間に配置された給水管１２の中を通過した上水を更に浴室内の各水栓５，７に向けて供給するための給水管である。この給水管１２は、前記剛性フレーム１の側部１ｂと前記浴室用内側壁面（化粧板）２との隙間中に配置される。以上の点を除き、本実施形態２は前記実施形態１と同一である。よって、本実施形態２によっても、前記実施形態１におけると同一の作用効果を奏することができる。
【００３８】
〔実施形態３〕
次に図５を参照して本発明の実施形態３に係るシェルター型システムバスの構成を説明する。本実施形態３は、前記実施形態１，２と基本的構成は同一であるので、以下では異なる部分についてのみ説明する。また、図５において図１〜４と共通する部分には同一の符号を付して説明を省略する。
【００３９】
本実施形態３では、図５（ａ）の側断面図及び図５（ｂ）の平断面図に示すように、前記外側天井部１ｃと前記内側天井部３との間の天井間空間中の少なくとも一部（貯水用空間）に配置される給水管１２が、平面略Ｓ字状のものが複数並ぶように組み合わされ、全体として平面略ジグザグ状にされた状態で、前記内側天井部３の一部（図示の略中央から左側の部分）の上に配置されている。住人は、図５（ｂ）に示すように、前記内側天井部３の図示右側に設けられたハッチ１５を開けてその周辺に非常用生活物資などを配置、収容することができる。また、住人は、場合により、前記平面略ジグザグ状に配置された給水管１２の上にも非常用生活物資などを配置することができる。以上の点を除き、本実施形態３は前記実施形態１，２と同一である。よって、本実施形態３によっても、前記実施形態１，２におけると同一の作用効果を奏することができる。
【００４０】
以上、本発明の各実施形態について説明したが、本発明は前記の各実施形態として述べたものに限定されるものではなく、様々な修正及び変更が可能である。例えば、前記実施形態１においては、前記剛性フレーム１の高さ、すなわち前記剛性フレーム１中の外側天井部１ｃの床部１ａからの高さを約２．８ｍとした（従来のシステムバスの外形の高さ（約２．２ｍ）と比較して約６０ｃｍ高くした）が、本発明では、前記外側天井部１ｃの前記剛性フレーム１の床部１ａからの高さは、少なくとも約２．０ｍ以上（例えば約２．０ｍから約２．９ｍ又は約３．０ｍまで）であればよい。また、前記実施形態１においては、前記浴室用の内側天井部３は、前記剛性フレーム１の外側天井部１ｃから約６０ｃｍの距離だけ下方に形成、配置するようにしたが、本発明では、浴室用の内側天井部と前記剛性フレームの外側天井部との間の距離は、約１０ｃｍ以上（例えば約１０ｃｍから約７０ｃｍ又は約８０ｃｍまで）であればいずれの長さでもよい。さらに、前記実施形態１においては、前記給水管１２の長さは、前記外側天井部１ｃと前記内側天井部３との間の隙間（天井間空間）の少なくとも一部（貯水用空間）内での巻回回数により数ｍから数百ｍまで様々であることを述べたが、本発明では、少なくとも５ｍ以上の長さを有していればよく、前記隙間（天井間空間）の少なくとも一部（貯水用空間）内に少なくとも５ｍ以上の長さの給水管１２を配置するようにすれば、本発明における「貯水用の給水管」としての機能を果たさせることができる。また、前記実施形態１〜３においては、前記収容部８は、前記天井間空間の少なくとも一部をそのまま利用して構成したが、本発明においては、前記収容部８は前記天井間空間の少なくとも一部に配置される収容ボックス（金庫などのような、前記天井間空間とは別個の収容庫）であってもよい。さらに、前記実施形態１では、前記外側天井部１ｃと前記内側天井部３との間の隙間（天井間空間）内において(i)有体物を収容する収容部８（収容空間）と(ii)貯水用給水管１２を配置する空間（貯水用空間）とを仕切り板１３により物理的・外形的に区別するようにしているが、本発明では、前記外側天井部と前記内側天井部との間の隙間（天井間空間）内において(i)有体物が収容される収容部（収容空間）と(ii)貯水用給水管が配置される貯水用空間とは少なくとも概念的に区別されていればよく、仕切り板などにより物理的・外形的に区別されている必要はないことは勿論である。
【符号の説明】
【００４１】
１    剛性フレーム
１ａ  剛性フレームの床部
１ｂ  剛性フレームの側部
１ｃ  剛性フレームの外側天井部
１ｄ  鋼製柱
１ｅ  鋼製梁
１ｆ  鋼製筋交
２    浴室用の内側壁部（化粧板）
３    浴室用の内側天井部
４    鏡
５，７      水栓
６    浴槽
８    収容部
１０  換気扇
１２  （貯水用の）給水管
１３  仕切り板
１４  開口部
１５  ハッチ
【図１】
2019039233.tif 000003
【図２】
2019039233.tif 000004
【図３】
2019039233.tif 000005
【図４】
2019039233.tif 000006
【図５】
2019039233.tif 000007
【図６】
2019039233.tif 000008
【図７】
2019039233.tif 000009
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
浴室又はその外側を保護又は支持するための剛性フレームであって、当該剛性フレームの上方部分を構成する外側天井部が当該剛性フレームの床部から少なくとも２．０ｍ以上の高さを有するように構成された剛性フレームと、
前記剛性フレーム内において前記外側天井部から少なくとも１０ｃｍ以上の距離だけ下方に形成又は配置された、浴室用の内側天井部と、
前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、
前記収容部又は収容空間と一体に又は仕切りを介して構成された貯水用空間であって、外部から供給される上水を浴室内に向けて流通させる少なくとも約５ｍ以上の長さを有する貯水用給水管が、当該貯水用給水管の側方又は上方に前記災害等用有体物を配置できるように、配置されている貯水用空間と、
を備えたシェルター型システムバス。
【請求項２】
浴室又はその外側を保護又は支持するための剛性フレームであって、当該剛性フレームの上方部分を構成する外側天井部が当該剛性フレームの床部から少なくとも２．０ｍ以上の高さを有するように構成された剛性フレームと、
前記剛性フレーム内において前記外側天井部から少なくとも１０ｃｍ以上の距離だけ下方に形成又は配置された、浴室用の内側天井部と、
前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、
前記収容部又は収容空間と一体に又は仕切りを介して構成された貯水用空間であって、外部から供給される上水を浴室内に向けて流通させる少なくとも約５ｍ以上の長さを有する貯水用給水管が、前記剛性フレーム側部の近傍に、前記剛性フレーム側部に沿って巻回するように、配置されている貯水用空間と、
を備えたシェルター型システムバス。
【請求項３】
浴室又はその外側を保護又は支持するための剛性フレームであって、当該剛性フレームの上方部分を構成する外側天井部が当該剛性フレームの床部から少なくとも２．０ｍ以上の高さを有するように構成された剛性フレームと、
前記剛性フレーム内において前記外側天井部から少なくとも１０ｃｍ以上の距離だけ下方に形成又は配置された、浴室用の内側天井部と、
前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、
前記収容部又は収容空間と一体に又は仕切りを介して構成された貯水用空間であって、外部から供給される上水を浴室内に向けて流通させる少なくとも約５ｍ以上の長さを有する貯水用給水管が、略渦巻状、略ジグザグ状又は略Ｓ字状に、配置されている貯水用空間と、
を備えたシェルター型システムバス。
【請求項４】
浴室又はその外側を保護又は支持するための剛性フレームの上方部分を構成する外側天井部であって当該剛性フレームの床部から少なくとも２．０ｍ以上の高さを有する外側天井部と、前記剛性フレーム内において前記外側天井部から少なくとも１０ｃｍ以上の距離だけ下方に形成又は配置された、浴室用の内側天井部と、前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、前記収容部又は収容空間と一体に又は仕切りを介して構成された貯水用空間であって、外部から供給される上水を浴室内に向けて流通させる少なくとも約５ｍ以上の長さを有する貯水用給水管が、当該貯水用給水管の側方又は上方に前記災害等用有体物を配置できるように、配置されている貯水用空間とを備えたシェルター型システムバスに使用される、浴室又はその外側を保護又は支持するための剛性フレーム。
【請求項５】
浴室又はその外側を保護又は支持するための剛性フレームの上方部分を構成する外側天井部であって当該剛性フレームの床部から少なくとも２．０ｍ以上の高さを有する外側天井部と、前記剛性フレーム内において前記外側天井部から少なくとも１０ｃｍ以上の距離だけ下方に形成又は配置された、浴室用の内側天井部と、前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、前記収容部又は収容空間と一体に又は仕切りを介して構成された貯水用空間であって、外部から供給される上水を浴室内に向けて流通させる少なくとも約５ｍ以上の長さを有する貯水用給水管が、前記剛性フレーム側部の近傍に、前記剛性フレーム側部に沿って巻回するように、配置されている貯水用空間とを備えたシェルター型システムバスに使用される、浴室又はその外側を保護又は支持するための剛性フレーム。
【請求項６】
浴室又はその外側を保護又は支持するための剛性フレームの上方部分を構成する外側天井部であって当該剛性フレームの床部から少なくとも２．０ｍ以上の高さを有する外側天井部と、前記剛性フレーム内において前記外側天井部から少なくとも１０ｃｍ以上の距離だけ下方に形成又は配置された、浴室用の内側天井部と、前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、前記収容部又は収容空間と一体に又は仕切りを介して構成された貯水用空間であって、外部から供給される上水を浴室内に向けて流通させる少なくとも約５ｍ以上の長さを有する貯水用給水管が、略渦巻状、略ジグザグ状又は略Ｓ字状に、配置されている貯水用空間とを備えたシェルター型システムバスに使用される、浴室又はその外側を保護又は支持するための剛性フレーム。
【手続補正３】
【補正対象書類名】明細書
【補正対象項目名】０００７
【補正方法】変更
【補正の内容】
【０００７】
また本発明は、浴室又はその外側を保護又は支持するための剛性フレームであって、当該剛性フレームの上方部分を構成する外側天井部が当該剛性フレームの床部から少なくとも２．０ｍ以上の高さを有するように構成された剛性フレームと、前記剛性フレーム内において前記外側天井部から少なくとも１０ｃｍ以上の距離だけ下方に形成又は配置された、浴室用の内側天井部と、前記外側天井部と前記内側天井部との間の隙間の少なくとも一部を利用して構成され又は前記少なくとも一部により構成される、災害や事故などの危険への対処に役立つ災害等用有体物を収容可能な、収容部又は収容空間と、前記収容部又は収容空間と一体に又は仕切りを介して構成された貯水用空間であって、外部から供給される上水を浴室内に向けて流通させる少なくとも約５ｍ以上の長さを有する貯水用給水管が、当該貯水用給水管の側方又は上方に前記災害等用有体物を配置できるように、配置されている貯水用空間とを備えたシェルター型システムバス、及びそのようなシェルター型システムバスに使用されるのに適した剛性フレームである。
【手続補正４】
【補正対象書類名】明細書
【補正対象項目名】０００８
【補正方法】変更
【補正の内容】
【０００８】
また、本発明は、前記貯水用給水管が、前記外側天井部と前記内側天井部との間の隙間内の前記剛性フレーム側部の近傍に、前記剛性フレーム側部に沿って巻回するように（略リング状に）配置されたシェルター型システムバス、及びそのようなシェルター型システムバスに使用されるのに適した剛性フレームである。
【手続補正５】
【補正対象書類名】明細書
【補正対象項目名】０００９
【補正方法】変更
【補正の内容】
【０００９】
また、本発明は、前記貯水用給水管が、前記外側天井部と前記内側天井部との間の隙間内において、略渦巻状、略ジグザグ状又は略Ｓ字状となるように配置されたシェルター型システムバス、及びそのようなシェルター型システムバスに使用されるのに適した剛性フレームである。
【手続補正６】
【補正対象書類名】明細書
【補正対象項目名】００１０
【補正方法】変更
【補正の内容】
【００１０】
さらに、本発明においては、前記貯水用給水管に、前記貯水用給水管中の上水が外部の配水管側に逆流することを防止する逆止弁を備えるようにしてもよい。